(57)【要約】【課題】複数の間仕切り壁パネルを有する間仕切り壁を容易に施工することである。【解決手段】床面２１と天井面２２との間に配置される複数の間仕切り壁パネル５…を有する間仕切り壁構造である。複数の間仕切り壁パネル５．５の側端面５ｂ，５ｃには、それぞれ雇い実材６が嵌合可能な断面Ｕ字状の溝部７が形成されている。そして、これら複数の間仕切り壁パネル５，５の側端面５ｂ．５ｃどうしを突き合わせることで対向配置されたそれぞれの溝部７，７に接着剤Ｓを塗布するとともに雇い実材６を嵌合し、雇い実材６の先端部と、該雇い実材６が嵌合された溝部７，７の溝底との間に形成された隙間に接着剤Ｓが充填された状態で、間仕切り壁パネル５，５どうしを接合してビスや釘打ちを併用せずに間仕切り壁１を形成する。【選択図】        図１
2004156368.tif 000002
【特許請求の範囲】
【請求項１】
床面と天井面との間に配置される複数の間仕切り壁パネルを有する間仕切り壁構造において、
前記複数の間仕切り壁パネルの側端面には、それぞれ雇い実材が嵌合可能な断面Ｕ字状の溝部が形成され、
前記複数の間仕切り壁パネルの側端面どうしは、それぞれの溝部に接着剤を塗布するとともに前記雇い実材を嵌合することで接合され、
前記雇い実材の先端部と、該雇い実材が嵌合された溝部の溝底との間には隙間が形成され、
この隙間には接着剤が充填されていることを特徴とする間仕切り壁構造。
【請求項２】
床面と天井面との間に配置される複数の間仕切り壁パネルを有する間仕切り壁構造において、
前記複数の間仕切り壁パネルどうしは、それぞれの側端面に当接する当接面を備えた連結部材を介して平面視して交差するように連結され、
前記複数の間仕切り壁パネルの側端面と、該側端面に当接する当接面とには、それぞれ雇い実材が嵌合可能な断面Ｕ字状の溝部が、互いに対向するように形成され、
前記側端面と前記当接面とが、前記溝部に接着剤を塗布するとともに前記雇い実材を嵌合することで接合され、
前記雇い実材の先端部と、該雇い実材が嵌合された溝部の溝底との間には隙間が形成され、この隙間には接着剤が充填されていることを特徴とする間仕切り壁構造。
【請求項３】
請求項２記載の間仕切り壁構造を有する間仕切り壁の施工方法において、
床面と天井面との間に、前記複数の間仕切り壁パネルのうち一方の間仕切り壁パネルと前記連結部材とを配置するとともに、前記一方の間仕切り壁パネルの側端面と、前記連結部材に平面視して交差するように備えられた当接面のうちの一方の当接面とを、前記側端面及び当接面のそれぞれに形成された溝部に接着剤を塗布するとともに前記雇い実材を嵌合することで接合し、
次いで、前記連結部材の他方の当接面に他方の間仕切り壁パネルの側端面を、前記他方の当接面及び前記他方の間仕切り壁パネルの側端面のそれぞれに形成された溝部に接着剤を塗布するとともに前記雇い実材を嵌合することで接合することを特徴とする間仕切り壁の施工方法。
【発明の詳細な説明】
【０００１】
【発明の属する技術分野】
本発明は、建物などにおける間仕切り壁構造及び間仕切り壁の施工方法に関する。
【０００２】
【従来の技術】
従来、建物内の空間を仕切る間仕切り壁の取り付け構造としては、例えば、所定幅のベニア板の中間に芯材となる木製の桟を縦横に設けて間仕切り壁パネルを構成し、この間仕切り壁パネルを横方向に並べて接合することで間仕切りとしている。これら接合される間仕切り壁パネルの端面どうしには、それぞれ面ずれを防止するために、両接合端面をしゃくることで、角柱状の雇い実が嵌合される断面コ字状の溝部が互いに対向して形成され、これら溝部のそれぞれに隙間が無い状態で角柱状の雇い実を嵌め込むことで、間仕切り壁パネルどうしの端面を接合している（例えば、特許文献１参照。）。
また、上記間仕切り壁パネルどうしを交差する方向に接続する場合、例えば直交する方向に設ける場合には、接合される間仕切り壁パネルどうしの一方の側端部の側面に、他方の間仕切り壁パネルの側端面を当接させ、互いに直交するように配置し、接合部分をビスなどの止着材により止着することで接合している。
【０００３】
【特許文献１】
特開平５−７９１０７号公報（図３）
【０００４】
【発明が解決しようとする課題】
ところで、上記特許文献１において、間仕切り壁パネルどうしを横に並べ、両間仕切りを構成する際には、間仕切り壁パネルどうしは、それぞれの端面に形成されたコ字状の溝に雇い実を隙間無く嵌合させることで接合されるので、間仕切り壁パネルどうしは雇い実の引っかかりにより厚み方向の移動のみが規制され、両間仕切り壁パネルが離間する方向の規制はなされていない。
【０００５】
このため、間仕切り壁パネルどうしが離間する方向へ移動しないように、両者の接合部分に接着剤を併用することでより強固に接合することが考えられるが、両間仕切り壁パネルどうしの溝部と雇い実との間には隙間が殆ど無いため、接着剤を溝内に塗布して雇い実を嵌合した場合、溝内で雇い実により押圧される接着剤の回り込みが悪く、接合部分からはみ出したり、はみ出しすぎて溝と雇い実とを接合する量が不足するなどするので、雇い実で接合された両者どうしや、雇い実と間仕切り壁パネルどうしを釘やビスなどで別途止着する作業が必要となっている。また、上記間仕切り壁パネルどうしをほぼ正確に直交するように配置する際には、先行して配置する一方の間仕切り壁パネルの建て入れ精度が左右されるため、正確な建て入れ位置に設ける必要が生じ、その分施工に手間が掛かっている。
本発明の課題は、複数の間仕切り壁パネルを有する間仕切り壁を容易に施工することである。
【０００６】
【課題を解決するための手段】
以上の課題を解決するため、請求項１記載の発明は、例えば、図１〜図３に示すように、
床面２１と天井面２２との間に配置される複数の間仕切り壁パネル５…を有する間仕切り壁構造において、
前記複数の間仕切り壁パネルの側端面５ｂには、それぞれ雇い実材６が嵌合可能な断面Ｕ字状の溝部７が形成され、
前記複数の間仕切り壁パネルの側端面どうしは、それぞれの溝部に接着剤Ｓを塗布するとともに前記雇い実材を嵌合することで接合され、
前記雇い実材の先端部と、該雇い実材が嵌合された溝部の溝底との間には隙間が形成され、この隙間には接着剤Ｓが充填されていることを特徴とする。
【０００７】
請求項１記載の発明によれば、複数の間仕切り壁パネルの側端面どうしは、断面Ｕ字状の溝部に接着剤を塗布するとともに、雇い実材を嵌合することで、前記溝部内の接着剤は嵌合される前記雇い実材により押圧されて、Ｕ字状の底部に沿って前記雇い実材に平均的に回り込むとともに前記雇い実材の先端部と、該雇い実材が嵌合された溝部の溝底との間に形成された隙間に充填されることとなり、前記溝部と雇い実材とは接着剤を介して強固に接合固定された状態となる。
よって、溝部内に雇い実材が嵌合した際に、接着剤が接合部分からはみ出したり、はみ出しすぎて溝と雇い実とを接合する量が不足することがない。
したがって、従来と異なり、前記複数の間仕切り壁パネルどうしを接合する際に、雇い実矧ぎ接合した後で、雇い実材と溝部との接合部分に釘打ちやビス打ちなどを行って別途止着する作業を必要とせず、複数の間仕切り壁パネルを有する間仕切り壁を容易に施工することができる。
【０００８】
前記断面Ｕ字状の溝部の開口幅は、嵌合される雇い実材の幅とほぼ同一であることが望ましく、その深さについては、溝底と嵌合された雇い実材の先端部と間に隙間が形成されるものであればどのような長さでもよい。
また、雇い実材の先端部をＲ加工した形状とする、つまり、断面形状をほぼ楕円形状とすることが望ましい。このように雇い実材の先端部がＲ加工されていれば、接着剤が塗布された断面Ｕ字状の溝部に嵌合される際に、前記雇い実材により溝底方向に押圧される接着剤は、前記溝部のＵ字状の溝底部に沿って移動するとともに、雇い実材の先端部のＲに沿って移動することとなり、雇い実材に対する回り込みがより平均的になり、一層の接着効果を期待することが出来る。
【０００９】
請求項２記載の発明は、床面と天井面との間に配置される複数の間仕切り壁パネルを有する間仕切り壁構造において、例えば図４に示すように、
前記複数の間仕切り壁パネル５Ｂ，５Ｃどうしは、それぞれの側端面に当接する当接面（例えば側面８２，８３）を備えた連結部材（例えばＬ型連結柱材８）を介して平面視して交差するように連結され、
前記複数の間仕切り壁パネルの側端面と、該側端面に当接する当接面とには、それぞれ雇い実材６…が嵌合可能な断面Ｕ字状の溝部７，８２ａ，８３ａが、互いに対向するように形成され、
前記側端面と前記当接面とが、前記溝部に接着剤を塗布するとともに前記雇い実材を嵌合することで接合され、
前記雇い実材の先端部と、該雇い実材が嵌合された溝部の溝底との間には隙間が形成され、この隙間には接着剤Ｓが充填されていることを特徴とする。
【００１０】
請求項２記載の発明によれば、前記間仕切り壁パネルのそれぞれの側端面と、これら側端面のそれぞれに当接する前記連結部材の当接面とは、それぞれに形成された前記断面Ｕ字状の溝部に接着剤を塗布するとともに前記雇い実材を嵌合すし、前記雇い実材の先端部と、該雇い実材が嵌合された溝部の溝底との間に形成された隙間に接着剤が充填されている状態で接合されることで、前記複数の間仕切り壁パネルどうしを、それぞれの側端面を前記連結部材の当接面に当接させることで平面視して交差するように連結しているので、断面Ｕ字状の溝部に接着剤を塗布するとともに、雇い実材を嵌合することで、前記溝部内の接着剤は嵌合される前記雇い実材により押圧されて、Ｕ字状の底部に沿って前記雇い実材に平均的に回り込むとともに前記雇い実材の先端部と、該雇い実材が嵌合された溝部の溝底との間に形成された隙間に充填されることとなり、前記溝部と雇い実材とは接着剤を介して強固に接合固定された状態となる。
【００１１】
よって、溝部内に雇い実材が嵌合した際に、接着剤が接合部分からはみ出したり、はみ出しすぎて溝と雇い実とを接合する量が不足することがなく、雇い実矧ぎ接合した後で、雇い実材と溝部との接合部分に釘打ちやビス打ちなどを行って別途止着する作業を必要とせず、交差する方向に設置される複数の間仕切り壁パネルを有する間仕切り壁を容易に施工することができる。
【００１２】
また、複数の間仕切り壁パネルを交差するように設置する際に、前記複数の間仕切り壁パネルのうち一方の間仕切り壁パネルと前記連結部材とを、当該連結部材の交差する当接面を基準として設置して、前記一方の間仕切り壁パネルの側端面と、前記連結部材に平面視して交差するように備えられた当接面のうちの一方の当接面とを、前記側端面及び当接面のそれぞれに形成された溝部に接着剤を塗布するとともに前記雇い実材を嵌合することで接合した後で、他方の間仕切り壁パネルの側端面を、前記連結部材の他方の当接面に、前記他方の当接面及び前記他方の間仕切り壁パネルの側端面のそれぞれの溝部に接着剤を塗布するとともに前記雇い実材を嵌合することで行うことができる。
【００１３】
つまり、複数の間仕切り壁パネルどうしをほぼ正確に交差するように、例えば直交するように配置する際に、先行して配置する一方の間仕切り壁パネルの建て入れ位置は前記連結部材により容易に決定され、その決定された位置に設置された前記一方の間仕切り壁パネルに接合された前記連結部材の前記他方の当接面に、前記他の間仕切り壁パネルの側端面を当接させるようにして両者を接合するだけでよく、その施工を容易に行うことができ、施工期間の短縮化も図ることができる。
【００１４】
請求項３記載の発明は、請求項２記載の間仕切り壁構造を有する間仕切り壁の施工方法において、
床面と天井面との間に、前記複数の間仕切り壁パネルのうち一方の間仕切り壁パネルと前記連結部材とを配置するとともに、前記一方の間仕切り壁パネルの側端面と、前記連結部材に平面視して交差するように備えられた当接面のうちの一方の当接面とを、前記側端面及び当接面のそれぞれに形成された溝部に接着剤を塗布するとともに前記雇い実材を嵌合することで接合し、
次いで、前記連結部材の他方の当接面に他方の間仕切り壁パネルの側端面を、前記他方の当接面及び前記他方の間仕切り壁パネルの側端面のそれぞれに形成された溝部に接着剤を塗布するとともに前記雇い実材を嵌合することで接合することを特徴とする。
【００１５】
請求項３記載の発明によれば、前記複数の間仕切り壁パネルのうち一方の間仕切り壁パネルと前記連結部材とを、当該連結部材の交差する当接面を基準として設置して、前記一方の間仕切り壁パネルの側端面と、前記連結部材に平面視して交差するように備えられた当接面のうちの一方の当接面とを接着剤とともに前記雇い実材を用いて接合した後、他方の間仕切り壁パネルの側端面を、前記連結部材の他方の当接面に接着剤とともに前記雇い実材を用いて接合するので、複数の間仕切り壁パネルどうしをほぼ正確に交差するように、例えば直交するように配置する際に、先行して配置する一方の間仕切り壁パネルの建て入れ位置は前記連結部材により容易に決定され、その決定された位置に設置された前記一方の間仕切り壁パネルに接合された前記連結部材の前記他方の当接面に、前記他の間仕切り壁パネルの側端面を当接させるようにして両者を接合するだけでよく、その施工を容易に行うことができ、施工期間の短縮化も図ることができる。
【発明の実施の形態】
以下、図を参照して本発明の実施の形態を詳細に説明する。
〔第１の実施の形態〕
まず、構成を説明する。
図１〜図３に示すように、間仕切り壁１は、床面２１上に配置される下部ランナー３と、天井面２２に下部ランナー３に対向配置される上部ランナー４と、上下部ランナー３，４間に配置される複数の間仕切り壁パネル５…と、これら間仕切り壁パネル５の側端面を雇い実矧ぎして接合する雇い実材６…等とを有し、床面２１と天井面２２との間の空間を仕切るものである。
【００１６】
下部ランナー３は、上向き開口の長尺の溝形材により形成され、溝の側壁となる側壁部３ａ，３ａ間に間仕切り壁パネル５…の下端部５ａが嵌合されている。
【００１７】
上部ランナー４は、上面が天井面２２に当接して固定される固定板４１と、固定板４１の長手方向に延在する一方の側端部から下方に垂下する垂下板４２とで断面Ｌ字状の長尺部材からなり、垂下板４２に、固定板４１の下方に配置される間仕切り壁パネル５の上端部が係止されている。
【００１８】
間仕切り壁パネル５は、それぞれ、互いに平行に離間して対向配置された矩形状の２つの面材５１，５２と、これら面材５１，５２どうしの対向する左右両側端部間のそれぞれに、上下に延在して設けられ、間仕切り壁パネル５の両側端部を構成する左右側縦桟材５３，５４と、面材５１，５２間に、上下に延在して設けられた補強縦桟材５５等とを有し、内部は中空となっている。なお、間仕切り壁パネル５は建物内において設置される箇所に応じて、コンセントや配線を組み込むことで設備用の間仕切り壁パネルとして用いたり、内部にグラスウールなどの遮音材を充填することで遮音性を有する間仕切り壁パネルとして用いることができるものである。
【００１９】
面材５１，５２は、耐火性を有するものからなり、例えば、焼石膏、おが屑、パーライト等を原料として板状に成形され、両面にボード用原紙が張られた石膏ボードなどにより構成される。
面材５１は下部ランナー３の一方の側壁部３ａの上端から上部ランナー４の固定板４１の上面近傍まで至る長さを有し、面材５２は、下部ランナー３の他方の側壁部３ａの上端から上部ランナー４の垂下板４２の下端近傍まで至る長さを有する。また、これら面材５１，５２の左右両端部の角は面取りされ、表面側から左右側縦桟材５３，５４側に向かって下るテーパ部５１ａ，５２ａが形成されている。
【００２０】
左右側縦桟材５３，５４及び補強縦桟材５５の下端部は、それぞれ面材５１，５２の下端より下方に突出して間仕切り壁パネル５の下端部５ａを構成し、下部ランナー３に嵌合されている。
また、左右側縦桟材５３，５４及び補強縦桟材５５の上端部５３ｂ，５４ｂ，５５ａには、他方の側辺部側が切り欠かれて切欠部５３ｃ，５４ｃ，５５ｃがそれぞれ形成され、この切欠部５３ｃ，５４ｃ，５５ｃには上部ランナー４の垂下板４２が係止されている。
このように、上下部ランナー３，４間に設けられた複数の間仕切り壁パネル５では、間仕切り壁パネル５の表面を構成する面材５１の表面は、下部ランナー３の一方の側壁部３ａの外面及び上部ランナー４の固定板の先端部と略面一となっており、間仕切り壁パネル５の裏面を構成する面材５２の表面は、下部ランナー３の他方の側壁部３ａの外面及び上部ランナー４の垂下板４２の外面と略面一となっている。
【００２１】
また、左右側縦桟材５３，５４の表面、すなわち、間仕切り壁パネル５の側端面５ｂ，５ｃには、両側方に開口し、底部がＲとなる断面Ｕ字状の溝部７が形成され、溝部７に接着剤Ｓを充填させて断面楕円形状の雇い実材６を嵌合することで復すの間仕切り壁パネル５…どうしは接合されている。
溝部７では、その開口幅は嵌合された雇い実材６の幅と略同じ長さであり、深さは、雇い実材６の嵌合長さより長く、嵌合された雇い実材６の先端部と、溝部７の溝底との間には隙間が形成される長さとなっている。
つまり、間仕切り壁パネル５，５の側端面５ｂ，５ｃどうしは、互いの間仕切り壁パネル５，５の溝部７の溝底と雇い実材６の先端部との間に隙間が形成され、この隙間に接着剤Ｓが充填された状態で接合されたものとなっている。
さらに隣り合う間仕切り壁パネル５，５の面材５１，５１どうしのテーパ部５１ａ，５１ａからなる谷部分と面材５２，５２どうしのテーパ部５２ａ，５２ａの谷部分は、それぞれパテ５７によりそれぞれの面材５１，５２の表面と略面一に処理され、複数の間仕切り壁パネル５，５…の面材５１…，５２…の表面にそれぞれ設けられたクロス５８により覆われている（図１（ｂ）参照）。
【００２２】
次に、本実施の形態の間仕切り壁１の施工方法を説明する。
建物において、間仕切り壁１を構成すべき箇所の床面２１と天井面２２とにそれぞれ下部ランナー３と、上部ランナー４とをそれぞれ対向させて配置する。
そして、予め工場などで生産して現場に持ち込まれた左右側縦桟材５３，５４、補強縦桟材５５、面材５１，５２を有する間仕切り壁パネル５の下端部５ａを間仕切り壁パネル５の表面側から下部ランナー３の溝内に嵌合させるとともに、間仕切り壁パネル５の表面側から裏面側に倒して上部ランナー４の垂下板４２に切欠部５３ｃ，５４ｃ，５５ｃを係止させることで間仕切り壁パネル５を配置する。次いで、同様にして他の間仕切り壁パネル５を上下部ランナー３，４間に配置するとともに、先行して配置された間仕切り壁パネル５の側端面の溝部７及び後行して配置された間仕切り壁パネル５の側端面の溝部７に接着剤Ｓを充填すると共にこれら溝部７，７のそれぞれに雇い実材６を嵌合させることで隣り合う間仕切り壁パネル５，５の側端面どうしを突き合わせて雇い実矧ぎにより接合する。このように、接着剤Ｓが充填された溝部７，７にそれぞれ雇い実材６を嵌合すると、溝部７内の接着剤Ｓは、該溝部７内に挿入される雇い実材６の端部により押圧されてＵ字状の溝底に沿って、溝部７の開口側に回り込むこととなり、溝部７と雇い実材６との接着強度が向上する。さらに接着剤Ｓは、溝部７の溝底と雇い実材６の先端部との間の隙間に溜まることで溝部７と雇い実材６とを強固に接着した状態にして両者の接着強度をさらに向上させたものとなる。また、溝部７内に接着剤Ｓが溜まったり、Ｕ字状の底部に沿って雇い実材６に回り込みやすいことから外部にはみ出しにくく、はみ出すこととで両者の接合に必要な接着剤Ｓが不足することがない。
【００２３】
このように間仕切り壁パネル５を順次上下部ランナー３，４の間に配置するとともに互いに接合し且つ上下部ランナー３，４に固定していくことで間仕切り壁１を構成する。なお、間仕切り壁１を構成する際にあたり、間仕切り壁パネル５，５の隣り合う面材５１，５１どうしのテーパ部５１ａ，５１ａ部分にパテ５７処理を行い略面一となるようにする。その後、隣り合う間仕切り壁パネル５，５の面材５１，５１の表面に渡ってクロス５８を貼ることで間仕切り壁１の表面を仕上げる。同様に、間仕切り壁１の裏面側の面材５２，５２のそれぞれのテーパ部部分にも同様の処理を行い、クロス５８を貼ることで裏面側も仕上げる。
【００２４】
上述した間仕切り壁１によれば、建物内において複数の間仕切り壁パネル５…どうしの側端面を接合する際に、雇い実材６と接着剤Ｓとにより強固に接合することができるので、雇い実矧ぎの他に、隣り合う間仕切り壁パネル５，５の接合部分に釘やビス等の止着材を打ち込んで接合する工程を必要とせず、間仕切り壁１の施工の簡略化および施工期間の短縮化を図ることができる。また、ビス打ちや釘打ちの技術を必要としないため未熟練工でも容易に施工することができる。
【００２５】
〔第２の実施の形態〕
図４及び図５に本発明に係る間仕切り壁構造の第２の実施の形態を示す。
図５に示す間仕切り壁１０は、上述した下部ランナー３と同様に形成され、床面に配置された下部ランナー（図示省略）と、上述した上部ランナー４と同様に形成され、天井面に配置された上部ランナー（図示省略）と、これら下部ランナー及び上部ランナーとの間に設けられた上述した第１の実施の形態の間仕切り壁パネル５とそれぞれ同様に構成された複数の間仕切り壁パネル５Ａ〜５Ｅ、Ｌ型連結柱材（連結部材）８、Ｔ型連結柱材（連結部材）９、間仕切り壁パネルどうしや間仕切り壁パネルとＬ型連結柱材８、Ｔ型連結柱材９とを接合する雇い実材６…等とを備える。
【００２６】
図示しない下部ランナー及び上部ランナーは、それぞれ間仕切り壁パネル５Ａ〜５Ｅ、Ｌ型連結柱材８及びＴ型連結柱材９のそれぞれの上下端部に沿って、互いに対向するように配置されているものである。
間仕切り壁１０では、間仕切り壁パネル５Ａ，５Ｂは、上述した間仕切り壁パネル５と同様に、上下部ランナー３，４間に直線上に並べて設けられ、間仕切り壁パネル５Ａの他側端面と間仕切り壁パネル５Ｂの一側端面とを突き合わせ、それぞれの側端面に形成された溝部７，７に接着剤Ｓを充填させて雇い実材６を嵌合することで接合されている。
【００２７】
また間仕切り壁パネル５Ａの一側端面は、建物躯体の内壁面１１から略直交するように設けられた調整用パネル１２の一側端面に当接した状態で固定されている。この調整用パネル１２は、間仕切り壁パネル５Ａ、５Ｂの上下端部側に配置され、一端部が内壁面１１の上下端部に至るまで延出された上下部ランナー間に現場にて施工されるものであり、互いに平行離間して配置された面材１２１，１２２と面材１２１，１２２間に設けられ上下に延在する縦桟材１２３，１２３とを備える。
【００２８】
すなわち、現場にて、少なくとも所定の形状にて形成された間仕切り壁パネル５Ａ，５Ｂを設置した後、間仕切り壁パネル５Ａと内壁面１１との間を閉塞するように、下部ランナーの溝内から上部ランナーに至る縦桟材１２３，１２３を配置し、縦桟材１２３，１２３の両面に面材１２１，１２２を取り付けることで形成される。なお、面材１２１，１２２はＬＶＬからなる。
【００２９】
間仕切り壁パネル５Ｂの他側端面は、間仕切り壁パネル５Ｂに対して直交するように配置された間仕切り壁パネル５Ｃの一側端面とともに、Ｌ型連結柱材８に雇い実矧ぎにより接合されている。
Ｌ型連結柱材８は、間仕切り壁パネル５Ｂ、５Ｃを平面視して直交するようにＬ字状に連結しており、上下に延在し、上下部ランナー間に配置されるとともに、一辺の長さが間仕切り壁パネル５の幅と略同一の断面略正方形状をなす角柱状の柱本体部８１と、柱本体部８１の直交して隣り合う側面８２，８３に、上下に延在して設けられた断面Ｕ字状の溝部８２ａ，８３ａと、柱本体部８１の上下端面にそれぞれ上下方向に突出して設けられた上下突出部とを有する。
溝部８２ａ，８３ａは、それぞれ上述した溝部７と同様に形成されたものであり、溝部８２ａは、間仕切り壁パネル５Ｂの溝部７に一端部が嵌合された雇い実材６の他端部が接合され、嵌合された雇い実材６の他端部（先端部）と溝部８２ａ，８３ａの溝底との間に隙間が形成されている。
【００３０】
この隙間には接着剤Ｓが充填されており、これにより間仕切り壁パネル５ＢとＬ型連結柱材８とは、間仕切り壁パネル５Ｂの他側端面と柱本体部８１の一側面８２とが当接した状態で強固に接合されている。
また、溝部８２ａは、間仕切り壁パネル５Ｃの溝部７に他端部が嵌合された雇い実材６の一端部が嵌合され、嵌合された雇い実材６の一端部（先端部）と溝部８３ａの溝底との間に隙間が形成されている。この隙間には接着剤Ｓが充填されており、これにより間仕切り壁パネル５ＣとＬ型連結柱材８とは、間仕切り壁パネル５Ｃの一側端面と柱本体部８１の一側面８３とが当接した状態で強固に接合されたものとなっている。なお、間仕切り壁パネル５Ｂ，５Ｃの溝部７，７の溝底と、間仕切り壁パネル５Ｂ，５Ｃの溝部７，７のそれぞれに嵌合された雇い実材６の一端部、他端部のそれぞれの先端との間には、第１の実施の形態のものと同様に接着剤Ｓが充填された隙間が形成され、これら隙間の接着剤Ｓにより間仕切り壁パネル５Ｂ，５Ｃは雇い実材６に強固に接合されている。
【００３１】
上下突出部は、柱本体部８１の上下端面にて、それぞれ同様に設けられたものであり、断面視略正方形状に形成されている。
図５には、柱本体部８１の下端面に設けられた下突出部８６を示す。
この突出部８６は、下部ランナーの溝部の対向する側壁板間に挿入されて、少なくとも対向する側壁面８６ａ，８６ｂが、間仕切り壁パネル５Ａ，５Ｂの下部に配置された下部ランナーの側壁板に沿うように構成されている。
なお、柱本体部８１の上端面に設けられた上突出部は、その一方の側面で上部ランナーの垂下板に当接可能に形成されている。
【００３２】
Ｔ型連結柱材９は、間仕切り壁パネル５Ｃ，５Ｄ，５Ｅを平面視Ｔ字状に連結し、Ｌ型連結柱材８の断面矩形状の柱本体部のもう一方の側面に溝部７と同様の溝部が形成されたものである。すなわち、Ｔ型連結柱材９は、上下部ランナー間に上下に延在して配置され、一辺の長さが間仕切り壁パネル５の幅と略同一の断面略正方形状の角柱状の柱本体部９１と、柱本体部９１の隣合う３つの側面９２，９３，９４に形成された溝部９２ａ，９３ａ，９４ａと、柱本体部９１の下端面に下方に突出して設けられ、下部ランナーの溝内に嵌合する下突出部と、柱本体部９１の上端面に上方に突出して設けられ、上部ランナーに係止される上突出部等とを有する。なお図４では上突出部が設けられる位置を符号９６を付して示している。
【００３３】
溝部９２ａ，９３ａ，９４ａは、上述した溝部７、８２ａ，８３ａと同様の形状をなし、柱本体部９１の側面９２，９３，９４のそれぞれに長手方向に延在するように形成されている。
そして、Ｔ型連結柱材９は、下部ランナーに下突出部を嵌合し、上部ランナーに上突出部を係止させた状態で上下部ランナー間に設けられているとともに、上下部ランナー間に配置された柱本体部９１の側面９２，９３，９４のそれぞれに間仕切り壁パネル５Ｃ，５Ｄ，５Ｅの側端面が当接され、これら当接する側面９２，９３，９４と側端面のそれぞれの溝部９２ａ，９３ａ，９４ａ，７，７，７に接着剤Ｓを充填して雇い実材６，６，６をそれぞれに嵌合させることでそれぞれ強固に接合されている。
【００３４】
次に、間仕切り壁１０の施工方法を説明する。
この間仕切り壁１０を形成する際には、建物内において、間仕切り壁１０が設置されるべき箇所の床面及び天井面とにそれぞれ下部ランナー及び上部ランナーを配置し、これら上下部ランナー間に間仕切り壁パネル５Ａ〜５ＥとともにＬ型連結柱材８及びＴ字形連結柱材９を設置し、それぞれを接着剤Ｓ及び雇い実材６により接合する。なお、間仕切り壁パネル５Ａ〜５Ｅの設置方法は、上述した間仕切り壁１の間仕切り壁パネル５…と同様である。
【００３５】
特に、Ｌ型連結柱材８を介して直交して配置されるとともに互いに連結される間仕切り壁パネル５Ｂ，５Ｃの施工は、間仕切り壁パネル５Ｂ、５Ｃの何れか一方とＬ型連結柱材８とを配置し、この配置された間仕切り壁パネル（例えば、間仕切り壁パネル５Ｂ）の側端面にＬ型連結柱材８の一側面（例えば側面８２）を雇い実材６及び接着剤を介して強固に接続する。このときＬ型連結柱材８の側面８２，８３を基準にして、先行して配置される間仕切り壁パネルは配置される。つまり、施工されるべき直交壁部分の直交箇所が正確に決められた状態で先行の間仕切り壁パネルは設置されることとなり、その設置が容易となっている。その後、前記一側面（例えば側面８２）と直交する他側面（例えば側面８３）に間仕切り壁パネル５Ｂ，５Ｃのうちの他方の間仕切り壁パネル（例えば間仕切り壁パネル５Ｃ）の側端面を当接させるとともに雇い実材６及び接着剤を介して接合する。
【００３６】
なお、Ｌ型連結柱材８の設置は、下部ランナーの溝内に下突出部８６を嵌合させた状態で上突出部を上部ランナーの垂下板に係止させるとともに、接合される間仕切り壁パネルの溝部７に、溝部を対向配置させて、それぞれの溝部内に接着剤Ｓを充填するとともに雇い実材６を嵌合させて接合する。また、他方の間仕切り壁パネルを既に設置されたＬ型連結柱材８に接合する際に、接合される他方の間仕切り壁パネルおよびＬ型連結柱材８の溝部のいずれか一方に雇い実材６を嵌合させた後、他方の溝部を雇い実材６に嵌合するようにすれば、雇い実材６自体が両者を好適な位置どうしで接合させるためのガイドとなり、両者の接合を一層容易に行うことができる。
【００３７】
このように、先行して設置された間仕切り壁パネルに対して直交するように間仕切り壁パネルを配置する際に、その側端面を接合する位置が、先行して配置された間仕切り壁パネルに接合されたＬ型連結柱材８の側面により決定され、この側面に当接するように後行の間仕切り壁パネルを配置すればよく、容易に直交した壁体を備えた間仕切り壁を施工することができる。
また、Ｔ型連結柱材９を介してＴ字状に連結される間仕切り壁パネル５Ｃ，５Ｄ，５Ｅも同様に、これら間仕切り壁パネル５Ｃ，５Ｄ，５Ｅのうち一つの間仕切り壁パネル、例えば間仕切り壁パネル５Ｃを設置した後、この設置された間仕切り壁パネル５Ｃの他側端面と、Ｔ型連結柱材９の側面９２とを接着剤Ｓ及び雇い実材６により接合する。なお、このときのＴ型連結柱材９の上下部ランナー間への設置は、Ｌ型連結柱材８と同様に、下端部の下突出部を下部ランナーの溝内に嵌合させるとともに上端部の上突出部を上部ランナーの垂下板に係止させることで行う。
【００３８】
次いで、間仕切り壁パネル５Ｄ，５Ｅを順に、それぞれ上下部ランナー間に設置するとともに、それぞれの側端面をＴ型連結柱材９の側面９３，９４に接着剤Ｓ及び雇い実材６，６による雇い実矧ぎにより当接した状態で接合する。
このように、先行して設置された間仕切り壁パネル５Ｃに対して直交するように間仕切り壁パネル５Ｄを配置するとともに、間仕切り壁パネル５Ｃと同一直線上に間仕切り壁パネル５Ｅを配置する際に、その側端面を接合する位置が、先行して配置された間仕切り壁パネル５Ｃに接合されたＴ型連結柱材９の互いに隣り合う側面９３，９４により決定され、この側面９３，９４に当接するように後行の間仕切り壁パネル５Ｄ，５Ｅを配置すればよく、容易にＴ字状に配置される壁体を備えた間仕切り壁を施工することができる。
このように間仕切り壁パネルと、Ｌ型連結柱材８やＬ型連結柱材９どうしの接合では接着剤Ｓと雇い実材６とで強固に接合でき、この雇い実材の接合作業の後、接合される両者をビス打ちや釘打ちにより接合する作業を必要せず、ビス打ちや釘打ちの技術の未熟な未熟練工でも、容易に間仕切り壁１０を形成することができる。
【００３９】
また、上述した間仕切り壁１０の施工において、複数の間仕切り壁パネル５Ａ〜５Ｅのいずれかを床面及び天井面との間に設置する前に、Ｌ型連結柱材８やＴ型連結柱材９を先に設置してもよい。
例えば、Ｌ型連結柱材８を間仕切り壁パネル５Ｂ，５Ｃより先に設置した際には、設置されたＬ型連結柱材８の側面８２，８３に間仕切り壁パネル５Ｂ，５Ｃのそれぞれ側端面を当接させて、接着剤Ｓ及び雇い実材６により接合することで平面視直交した状態で容易に配置して接合することができ、Ｔ型連結柱材９を間仕切り壁パネル５Ｃ，５Ｄ，５Ｅより先に設置した際には、これら間仕切り壁パネル５Ｃ，５Ｄ，５Ｅのそれぞれの側端面をＴ型連結柱材９の側面９２，９３，９４に接着剤Ｓ及び雇い実材６を介して接合するだけで、これら間仕切り壁パネル５Ｃ，５Ｄ，５Ｅを平面視Ｔ字状に容易に設置して接合することができる。
【００４０】
なお、上述した間仕切り壁１、１０において、間仕切り壁パネル５間に建具を備えた場合は、図７に示すように、間仕切り壁パネル５と同様に構成されるとともに上下部ランナー間に同様に設けられた間仕切り壁パネル５Ｆ，５Ｇ間に建具ユニット５０を介在させて、この建具ユニット５０の建具枠５０ａの両側端面に間仕切り壁パネル５Ｆ，５Ｇの側端面を当接させて固定する。なお、この建具ユニット５０の上下部に沿う床面及び天井面には上下部ランナーを設けず、建具ユニット５０自体の上下長さを床面から天井面に至る長さとする。
【００４１】
【発明の効果】
請求項１記載の発明によれば、複数の間仕切り壁パネルの側端面どうしは、断面Ｕ字状の溝部に接着剤を塗布するとともに、雇い実材を嵌合することで、前記溝部内の接着剤は嵌合される前記雇い実材により押圧されて、Ｕ字状の底部に沿って前記雇い実材に平均的に回り込むとともに前記雇い実材の先端部と、該雇い実材が嵌合された溝部の溝底との間に形成された隙間に充填されることとなり、前記溝部と雇い実材とは接着剤を介して強固に接合固定された状態となる。
よって、溝部内に雇い実材が嵌合した際に、接着剤が接合部分からはみ出したり、はみ出しすぎて溝と雇い実とを接合する量が不足することがなく、従来と異なり、前記複数の間仕切り壁パネルどうしを接合する際に、雇い実矧ぎ接合した後で、雇い実材と溝部との接合部分に釘打ちやビス打ちなどを行って別途止着する作業を必要とせず、複数の間仕切り壁パネルを有する間仕切り壁を容易に施工することができる。
【００４２】
請求項２記載の発明によれば、断面Ｕ字状の溝部に接着剤を塗布するとともに、雇い実材を嵌合することで、前記溝部内の接着剤は嵌合される前記雇い実材により押圧されて、Ｕ字状の底部に沿って前記雇い実材に平均的に回り込むとともに前記雇い実材の先端部と、該雇い実材が嵌合された溝部の溝底との間に形成された隙間に充填されることとなる。
【００４３】
これにより、前記溝部と雇い実材とは接着剤を介して強固に接合固定された状態となり、前記溝部内に雇い実材が嵌合した際に、接着剤が接合部分からはみ出したり、はみ出しすぎて溝と雇い実とを接合する量が不足することがなく、雇い実矧ぎ接合した後で、雇い実材と溝部との接合部分に釘打ちやビス打ちなどを行って別途止着する作業を必要とせず、交差する方向に設置される複数の間仕切り壁パネルを有する間仕切り壁を容易に施工することができる。
【００４４】
また、複数の間仕切り壁パネルどうしをほぼ正確に交差するように配置する際に、先行して配置する一方の間仕切り壁パネルの建て入れ位置は前記連結部材により容易に決定され、その決定された位置に設置された前記一方の間仕切り壁パネルに接合された前記連結部材の前記他方の当接面に、前記他の間仕切り壁パネルの側端面を当接させるようにして両者を接合するだけでよく、その施工を容易に行うことができ、施工期間の短縮化も図ることができる。
【００４５】
請求項３記載の発明によれば、前記複数の間仕切り壁パネルどうしをほぼ正確に交差するように、例えば直交するように配置する際に、先行して配置する一方の間仕切り壁パネルの建て入れ位置は前記連結部材により容易に決定され、その決定された位置に設置された前記一方の間仕切り壁パネルに接合された前記連結部材の前記他方の当接面に、前記他の間仕切り壁パネルの側端面を当接させるようにして両者を接合するだけでよく、その施工を容易に行うことができ、施工期間の短縮化も図ることができる。
【図面の簡単な説明】
【図１】本発明を適用した第１の実施の形態の間仕切り壁構造の構成を示す図であり、（ａ）は間仕切り壁の概略平面図、（ｂ）は同間仕切り壁における間仕切り壁パネルの隣接する面材どうしの接合部分を示す図である。
【図２】図１（ａ）に示す間仕切り壁の概略正面図である。
【図３】図１の間仕切り壁の間仕切り壁パネルを上下部ランナー間に設けた状態を示す左縦桟材部分の概略側面図である。
【図４】本発明を適用した第２の実施の形態の間仕切り壁構造の構成を示す概略平面図である。
【図５】図４に示すＬ型連結柱材の下端部を示す図である。
【図６】間仕切り壁に建具ユニットを備えた一例を示す図である。
【符号の説明】
１，１０    間仕切り壁
５，５Ａ〜５Ｆ      間仕切り壁パネル
５ｂ，５ｃ      側端面
６      雇い実材
７      溝部
８      Ｌ型連結柱材（連結部材）
９      Ｔ型連結柱材（連結部材）
２１      床面
２２      天井面
５１      面材
５１ａ    テーパ部
５２      面材
５２ａ    テーパ部
８２      一側面（当接面）
８２ａ      溝部
８３      一側面（当接面）
８３ａ      溝部
９２      側面（当接面）
９２ａ      溝部
９３      側面（当接面）
Ｓ      接着剤
【図１】
2004156368.tif 000003
【図２】
2004156368.tif 000004
【図３】
2004156368.tif 000005
【図４】
2004156368.tif 000006
【図５】
2004156368.tif 000007
【図６】
2004156368.tif 000008